(57)【要約】      （修正有）【課題】架空送電鉄塔の基礎工事等において、基礎工事用型枠の縦リブ及び横リブに共用でき、しかも両リブに簡単に取付けることができ、作業上の能率向上が図れ、使い勝手の良い低価格の基礎工事用足場を提供する。【解決手段】簡易足場１は、作業員の足を乗せるための踏み台２と、踏み台２の下面に垂設した脚部６とからなり、前記踏み台２は、その一端側に縦リブを挿通するための縦リブ挿通用凹部３及びその近傍に横リブにボルトで固定するための横リブ固定用孔部４を備え、脚部６は、踏み台２の縦リブ挿通用凹部３に対向すべく上端側に横リブを挿通するための横リブ挿通用凹部７及びその近傍に縦リブにボルトで固定するための縦リブ固定用孔部８を備える。【選択図】図２
0003208865.tif 000002
【実用新案登録請求の範囲】
【請求項１】
縦リブ及び横リブを有する基礎工事用型枠の周囲に登るために当該縦リブまたは横リブに取付けられる簡易足場を備え、
該簡易足場は、作業員の足を乗せるための踏み台と、踏み台の下面に垂設した脚部とからなり、
前記踏み台は、その一端側に縦リブを挿通するための縦リブ挿通用凹部及びその近傍に横リブにボルトで固定するための横リブ固定用孔部を備え、
前記脚部は、前記踏み台の縦リブ挿通用凹部に対向すべく上端側に横リブを挿通するための横リブ挿通用凹部及びその近傍に縦リブにボルトで固定するための縦リブ固定用孔部を備えてなることを特徴とした基礎工事用足場。
【請求項２】
前記縦リブ挿通用凹部は、平面視略コ字状の凹溝によって形成され、前記横リブ挿通用凹部は、側面視略Ｌ字状の切欠によって形成され、横リブ挿通用凹部は、平面視で縦リブ挿通用凹部の中央に位置し、踏み台の幅方向中央に縦リブが配置されるよう、縦リブ挿通用凹部を横リブ固定用孔部位置に対して踏み台の中央から幅方向一方側にずらした位置に設けられてなる請求項１記載の基礎工事用足場。
【請求項３】
踏み台の他端側には、足場落下防止用ロープのロープ取付孔を有してなる請求項１または２記載の基礎工事用足場。
【請求項４】
脚部には、作業員用の安全帯を取付けるための取付孔を有してなる請求項１乃至３のいずれかに記載の基礎工事用足場。
【考案の詳細な説明】
【技術分野】
【０００１】
本考案は、例えば架空送電鉄塔等の基礎工事における円形状等の基礎工事用型枠の周囲に登って作業するための基礎工事用足場に関する。
【背景技術】
【０００２】
従来から、架空送電鉄塔の基礎工事においては、柱体コンクリートを打設するために鋼製の円形状の基礎工事用型枠を設置するのであるが、この柱体の高さは、鉄塔の規模土質により異なり、例えば、６６ｋＶ，１１０ｋＶの標準基礎で２．５ｍ〜６．０ｍ、２２０ｋＶ，５００ｋＶでは８．０ｍにもなる。
【０００３】
従来では、基礎工事用型枠の組立時や、コンクリート打設時、及び天端仕上げ作業時には、安全帯を使用して基礎工事用型枠の横リブに直接足を掛けるか、あるいは縦リブに１本のボルトで固定される例えばＤＳＫタラップや鋼管鉄塔用タラップ等の周知のタラップ構造による足場を設けて作業を行なっている。
【０００４】
また、その他の種類の足場としては、例えば、特許文献１に開示されているように、アングル鉄塔や、屋外鉄構等の鉄骨構築物において、昇塔時に足場を確保できる一方、不使用時に格納して一般人の昇塔を防止できるようにしたステップ装置が提供されている。すなわち、この装置は、構築物の鉄骨に取付けられるブラケット金具と、該ブラケット金具に対してほぼ水平姿勢とほぼ起立姿勢の間で回動自在となるように枢着されたステップ金具とから成り、ステップ金具をほぼ起立姿勢からほぼ水平姿勢に回動した状態で接支するストッパー手段を設けると共に、ステップ金具をほぼ起立姿勢に回動した状態で回動不能に固定自在とするロック手段を設けた構成となっている。
【先行技術文献】
【特許文献】
【０００５】
【特許文献１】実用新案登録第３０２０８９２号公報
【考案の概要】
【考案が解決しようとする課題】
【０００６】
上記したように、従来においては、基礎工事用型枠の組立時や、コンクリート打設時、及び天端仕上げ作業時には、足場が必要となるが、掘削坑内には型枠固定用の多数の支保材等が組まれており、足場を設置することは非常に困難である。そのため、上記したように、安全帯を使用して基礎工事用型枠の横リブに直接足を掛けるか、あるいは上記したタラップ構造の足場を縦リブに設置して作業を行なっているのが現状である。
【０００７】
しかしながら、タラップ構造の足場は、何れも縦リブにしか取付けられないタイプであるため、足場が縦一列になり使い勝手が悪い。また、基礎工事用型枠は３分割のため、縦リブ部が３箇所となり、足場の間隔が広く横移動が困難である。さらに、基礎工事用型枠の転びで簡易足場の勾配が変わる（水平で無い）ため、雨などの水に濡れると滑りやすくなる。
【０００８】
また、縦リブ取付型と横リブ取付型との２つのタイプの足場を個別に作成し、これらを基礎工事用型枠に共用することもあるが、これでは作業上非常に効率が悪くなる。しかも、２種類の足場を製造し、設置箇所に応じてこれらを使い分けなければならず、高価格となると同時に設置取付作業も煩雑化する。
【０００９】
また、上記した特許文献１の場合におけるステップ金具では、鉄骨の胴部にブラケット金具を介してボルトで直接固定するものとしているため、胴部にボルト固定用孔部等の余分な加工を要することから、足場の取付作業上、非常に効率が悪く、しかも安全性にも劣るものとなる。
【００１０】
そこで、本考案は叙上のような従来存した諸事情に鑑み創出されたもので、例えば架空送電鉄塔の基礎工事等において、基礎工事用型枠の縦リブ及び横リブに共用でき、しかも両リブに簡単に取付けることができ、作業上の能率向上が図れ、使い勝手の良い低価格な基礎工事用足場を提供することを目的とする。
【課題を解決するための手段】
【００１１】
上述した課題を解決するために、本考案にあっては、縦リブＰ１及び横リブＰ２を有する基礎工事用型枠Ｐの周囲に登るために当該縦リブＰ１または横リブＰ２に取付けられる簡易足場１を備え、該簡易足場１は、作業員Ｑの足を乗せるための踏み台２と、踏み台２の下面に垂設した脚部６とからなり、前記踏み台２は、その一端側に縦リブＰ１を挿通するための縦リブ挿通用凹部３及びその近傍に横リブＰ２にボルトＶで固定するための横リブ固定用孔部４を備え、前記脚部６は、前記踏み台２の縦リブ挿通用凹部３に対向すべく上端側に横リブＰ２を挿通するための横リブ挿通用凹部７及びその近傍に縦リブＰ１にボルトＶで固定するための縦リブ固定用孔部８を備えてなることを特徴とした。
【００１２】
前記縦リブ挿通用凹部３は、平面視略コ字状の凹溝によって形成され、前記横リブ挿通用凹部７は、側面視略Ｌ字状の切欠によって形成され、横リブ挿通用凹部７は、平面視で縦リブ挿通用凹部３の中央に位置し、踏み台２の幅方向中央に縦リブＰ１が配置されるよう、縦リブ挿通用凹部３を横リブ固定用孔部４位置に対して踏み台２の中央から幅方向一方側にずらした位置に設けられてなる。
【００１３】
踏み台２の他端側には、足場落下防止用ロープのロープ取付孔５を有してなる。
【００１４】
脚部６には、作業員Ｑ用の安全帯Ｒを取付けるための取付孔９を有してなる。
【考案の効果】
【００１５】
本考案によれば、例えば架空送電鉄塔の基礎工事等において、基礎工事用型枠Ｐの縦リブＰ１及び横リブＰ２に共用でき、しかも両リブＰ１，Ｐ２に簡単に取付けることができ、作業上の能率向上が図れ、使い勝手の良い低価格な基礎工事用足場を提供することができる。
【００１６】
すなわち、本考案は、縦リブＰ１及び横リブＰ２を有する基礎工事用型枠Ｐの周囲に登るために当該縦リブＰ１または横リブＰ２に取付けられる簡易足場１を備え、該簡易足場１は、作業員Ｑの足を乗せるための踏み台２と、踏み台２の下面に垂設した脚部６とからなり、前記踏み台２は、その一端側に縦リブＰ１を挿通するための縦リブ挿通用凹部３及びその近傍に横リブＰ２にボルトＶで固定するための横リブ固定用孔部４を備え、前記脚部６は、前記踏み台２の縦リブ挿通用凹部３に対向すべく上端側に横リブＰ２を挿通するための横リブ挿通用凹部７及びその近傍に縦リブＰ１にボルトＶで固定するための縦リブ固定用孔部８を備えてなるので、従来のものと比較して、軽量で、周囲のリブ（縦、横）両方に容易に設置することができる。また、基礎工事用型枠Ｐの縦リブＰ１同士または横リブＰ２同士を接合し固定するためのボルト取付用孔部を、簡易足場１を取付けるためのリブ固定用孔部として代用することができ、基礎工事用型枠Ｐ自体の胴部等に何等の加工も要しない。
【００１７】
前記縦リブ挿通用凹部３は、平面視略コ字状の凹溝によって形成され、前記横リブ挿通用凹部７は、側面視略Ｌ字状の切欠によって形成され、横リブ挿通用凹部７は、平面視で縦リブ挿通用凹部３の中央に位置し、踏み台２の幅方向中央に縦リブＰ１が配置されるよう、縦リブ挿通用凹部３を横リブ固定用孔部４位置に対して踏み台２の中央から幅方向一方側にずらした位置に設けられてなるので、両凹部３，７によって、横リブＰ２と縦リブＰ１との各挿入方向が踏み台２の一端側において互いに交差状となるように構成され、縦横リブ共用型の簡易な構造による使い勝手の良い基礎工事用足場を提供することができる。
【００１８】
これと同時に、縦リブ挿通用凹部３に基礎工事用型枠Ｐ周囲の縦リブＰ１が挿入された際に、踏み台２の幅方向中央に縦リブＰ１が配置されるよう、縦リブ挿通用凹部３を横リブ固定用孔部４位置に対して踏み台２の中央から幅方向一方側にずらして設けられることから、縦リブＰ１は、横リブ固定用孔部４側寄りにおける横リブ挿通用凹部７の側面と縦リブ挿通用凹部３の内縁との間で挟持された状態となって挿入され、踏み台２は幅方向中央に位置する縦リブＰ１を中心として左右均等な状態となって安定に設置されることとなる。
【００１９】
踏み台２の他端側には、足場落下防止用ロープのロープ取付孔５を有してなるので、踏み台２に取付けた足場落下防止用ロープによって簡易足場１の落下を未然に防ぐことができる。
【００２０】
脚部６には、作業員Ｑ用の安全帯Ｒを取付けるための取付孔９を有してなるので、脚部６に、作業員Ｑの保持する安全帯Ｒが取付けられることで、作業員Ｑは安全に作業することができる。
【図面の簡単な説明】
【００２１】
【図１】本考案を実施するための一形態における使用状態を示す斜視図である。
【図２】簡易足場の構成例を示し、（ａ）は斜視図、（ｂ）は平面図、（ｃ）は側面図である。
【図３】簡易足場の縦リブへの取付例を示し、（ａ）は斜視図、（ｂ）は平面図、（ｃ）は側面図である。
【図４】簡易足場の横リブへの取付例を示し、（ａ）は斜視図、（ｂ）は平面図、（ｃ）は側面図である
【考案を実施するための形態】
【００２２】
以下、図面を参照して本考案の実施の一形態を詳細に説明する。
【００２３】
本考案に係る基礎工事用足場は、図１に示すように、鉄塔基礎工事の柱体コンクリートを打設するために鋼製等の円形の基礎工事用型枠Ｐの周囲に作業員Ｑが登るためのステップ治具として使用する鋼製の簡易足場１によって形成されている。この簡易足場１は、型枠組立用の既設のボルトＶを利用し、縦リブＰ１と横リブＰ２に各１本のボルトＶで直接取付けて使用するタイプのもので、作業者Ｑが負担なく扱えることを考えてできるだけ小型で且つ軽量にしてある。
【００２４】
なお、本考案に係る基礎工事用の簡易足場１は、例えば鉄塔の基礎工事の柱体コンクリートを打設するために鋼製等の円形の基礎工事用型枠Ｐの周囲の縦リブＰ１と横リブＰ２とを介して取付けられるものとしているが、これに限らず、種々の建造物における基礎工事用の矩形・円筒形・多角形・球形等の型枠の周囲に登るための簡易なステップ治具として使用する等、その他様々な用途に応用しても良い。
【００２５】
簡易足場１は、図２乃至図４に示すように、作業員Ｑの足を乗せるための長方形板状の踏み台２と、踏み台２の下面に垂設した横長台形板状の脚部６とからなる。踏み台２は、その長手方向一端（後端）側に縦リブＰ１を挿通するための平面視略コ字状の凹溝によって形成された縦リブ挿通用凹部３と、縦リブ挿通用凹部３の近傍の隣接位置にて、後述する、横リブＰ２に上記既設のボルトＶで固定するための横リブ固定用孔部４を備えている。
【００２６】
一方、脚部６は、前記踏み台２の縦リブ挿通用凹部３に対向すべく上端側に横リブＰ２を挿通するための側面視略Ｌ字状の切欠によって形成された横リブ挿通用凹部７と、横リブ挿通用凹部７の下側近傍に、縦リブＰ１に上記既設のボルトＶで固定するための縦リブ固定用孔部８を備えている。
【００２７】
縦リブ挿通用凹部３と横リブ固定用孔部４とは踏み台２の幅方向に沿って互いに対称位置となって設けられている。そして、横リブ挿通用凹部７は、平面視で縦リブ挿通用凹部３の中央に位置しており、両凹部３，７によって、横リブＰ２と縦リブＰ１との各挿入方向が互いに交差状となるようにしてある（図３及び図４参照）。また、縦リブ挿通用凹部３に基礎工事用型枠Ｐ周囲の縦リブＰ１が挿入された際に、踏み台２の幅方向中央に縦リブＰ１が配置されるよう、縦リブ挿通用凹部３を横リブ固定用孔部４位置に対して踏み台２の中央から幅方向一方側にずらした位置に設けられている。
【００２８】
踏み台２は、基礎工事用型枠Ｐの転びで簡易足場１の勾配が変わる（水平で無い）ため、雨などの水に濡れると滑りやすくなることから、滑り防止用の縞鋼板によって形成されている。また、踏み台２の長手方向他端（先端）側には、簡易足場１の落下を防ぐための足場落下防止用ロープＲを通す小円孔状のロープ取付孔５が設けられている。
【００２９】
脚部６の略中央には、作業員Ｑ用の安全帯Ｒを、例えばＵクレビス（図示せず）等を介して取付けるための取付孔９を設けてあり、作業員Ｑは安全に作業することができるようにしてある。
【００３０】
次に、以上のように構成された形態についての使用の一例について説明すると、先ず、図３に示すように、簡易足場１を縦リブＰ１へ取付ける場合、縦リブＰ１のボルト取付用孔部（図示せず）から既設のボルトＶをいったん取外し、縦リブ挿通用凹部３に基礎工事用型枠Ｐ周囲の縦リブＰ１を挿入する。
【００３１】
このとき、図３（ｂ）に示すように、縦リブＰ１は、横リブ固定用孔部４側寄りにおける横リブ挿通用凹部７の側面と縦リブ挿通用凹部３の内縁との間で挟持された状態となって挿入され、これにより踏み台２の幅方向中央に縦リブＰ１が配置されることとなる。そして、縦リブＰ１のボルト取付用孔部と縦リブ固定用孔部８との両孔部同士を接合させ、上記既設のボルトＶを縦リブ固定用孔部８を介してボルト取付用孔部にねじ込み固定する。
【００３２】
また、図４に示すように、簡易足場１を横リブＰ２へ取付ける場合、横リブＰ２のボルト取付用孔部（図示せず）から既設のボルトＶをいったん取外し、横リブ挿通用凹部７に基礎工事用型枠Ｐ周囲の横リブＰ２を挿入する。
【００３３】
このとき、図４（ｃ）に示すように、横リブＰ２は、踏み台２の下面と横リブ挿通用凹部７の上端縁との間で挟持された状態となって配置されることとなる。そして、横リブＰ２のボルト取付用孔部（図示せず）と横リブ固定用孔部４との両孔部同士を接合させ、上記既設のボルトＶを横リブ固定用孔部４を介してボルト取付用孔部にねじ込み固定する。
【００３４】
以上説明したように、本実施形態では、基礎工事用型枠Ｐ周囲の例えば縦リブＰ１と横リブＰ２とに交互に簡易足場１が設置されることで、作業員Ｑは複数段の左右ステップ状となって登ることができ、作業上の安全性が確保されることとなる。
【符号の説明】
【００３５】
Ｐ…基礎工事用型枠
Ｐ１…縦リブ
Ｐ２…横リブ
Ｑ…作業員
Ｒ…安全帯
Ｖ…ボルト
１…簡易足場
２…踏み台
３…縦リブ挿通用凹部
４…横リブ固定用孔部
５…ロープ取付孔
６…脚部
７…横リブ挿通用凹部
８…縦リブ固定用孔部
９…取付孔
【図１】
0003208865.tif 000003
【図２】
0003208865.tif 000004
【図３】
0003208865.tif 000005
【図４】
0003208865.tif 000006